Podtech/llm-jp-corpus-v4-ja_patent huggingface dataset:
(57)【要約】      （修正有）【課題】煙草に細長い穴を開けることで燃焼効率を高め、煙に含有する有害物質を低く抑えることを目的としたキャップ型煙草健康器具を提供する。【解決手段】キャップ状の筒型内部に１本あるいは数本の細い針状の金具１を固定し、煙草を燃焼する前にゆっくりとキャップ内の針に刺し込んでから引き出す。その際に煙草内部にできた細長い空間が空気の流れをつくり、よって煙草を吸う度に燃焼効率が高まり、有害物質を低減させる。構造が簡単であるが故、壊れにくく低価格での製作が可能である。またキャップ型とスタンド型の２種類があり喫煙者の生活パターンで使い分ける。【選択図】図３
0003157981.tif 000002
【実用新案登録請求の範囲】
【請求項１】
キャップ状の筒型内部に、煙草に穴を開ける為に固定した１本又は数本の針がある構造。この針に煙草を深く刺して細長い穴を開け、喫煙時の燃焼効率を高める。この際煙草がキャップ内に入り易いようにキャップの口は斜めに輪切りした形状をとる。３また図１のようにキャップは胸ポケットからすべり落ちないようにする為、クリップ２を備えた構造とする。
【請求項２】
ペン立て台のように机の上に置いて使用するスタンド型構造（図２）。デスクワークをする人に向き、キャップ内部の針の構造及びキャップを斜めに輪切りした構造は上記と同じだが、クリップは不要である。また針は怪我防止の為キャップの入口から越えない位置に設定する。（図３）
【考案の詳細な説明】
【技術分野】
【０００１】本考案は煙草に細長い穴を開けることで燃焼効率を高め、煙に含有する有害物質を低く抑えることを目的とした健康器具に関する。
【背景技術】
【０００２】従来から多くの喫煙者が禁煙を試みても失敗例が多く、逆に未成年者及び女性の喫煙例は増加の傾向にある。一方煙草メーカー側もニコチン、タール等減少させてはいるが皆無ではなく、ニコチンパッドや禁煙ガムの販売も広く普及までは至っていない。【０００３】本考案は煙草の燃焼という自然現象に着目し、燃焼効率を高めることが煙に含有する有害物質を減らすことに極めて有効的な方法たと考える。【０００４】本考案は喫煙という行為が日常生活の中て喫煙者にとってはごく普通の所作でることを踏まえ、あくまで手軽で煩わしさを実感させないことが重要と考える。
【考案を実施するための形態】
【０００５】以下、本考案の構造及び実施について具体的に説明する。
【０００６】
【図面の簡単な説明】
【図１】キャップ型煙草健康器具。
【図２】スタンド型の煙草健康器具の外観図。
【図３】キャップ型煙草健康器具の内面図。
【符号の説明】  １  針型の金具  ２  クリップ  ３  斜めに輪切りしたキャップの形状【０００７】喫煙者は煙草に着火する前に煙草の先端部分をキャップ内部にある針型の金具１に深く刺し込み、煙草の内部に細長い空間をつくる。【０００８】この空間がトンネル状の空気の通り道となり、燃焼効率を高めると同時に煙自体も減少させる。【０００９】本考案はキャップの直径及び長さが、各種煙草の直径及び長さと合致する必要がある。【０００１０】本考案は材質が金属製に限らず、プラスチック素材でも製作が可能である。【０００１１】本考案は利便性を考慮し、胸ポケットに普段は差して、使用する時に取り出して使うキャップ型（図１）と、ペン立て台のように机の上に常備するスタンド型（図２）があり、それぞれ利用者の生活パターンの中で使い分ける。【０００１２】本考案は煙草に穴を開ける針は一本と限らず数本の細い針でも同様の効果があると考えられる。
【図１】
0003157981.tif 000003
【図２】
0003157981.tif 000004
【図３】
0003157981.tif 000005
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
キャップ状の筒型部材内部に、喫煙時の燃焼効率を高めるための穴を煙草に開ける為の１本又は数本の針を固定し、煙草がキャップ状の筒状部材内に入り易いようにキャップ状筒状部材の口を斜めに輪切りした形状としたことを特徴とする、キャップ型煙草健康器具。
(57)【要約】      （修正有）【課題】暗所での切断作業性と安全性を高めるとともに鋸の利便性をはかる鋸柄を提供する。【解決手段】鋸柄の構造において、光源がなかった鋸柄に発光ダイオードなどの光源を内蔵する。本鋸柄は剪定鋸や仮枠鋸など照明がない森の中や工事現場などで使用される鋸に、より効果的である。日没のためやむなく切り上げていた切断作業が延長できる。また、暗がり時の高所での剪定作業時の足場や降り位置の確認も出来、作業の安全をはかる効果もある。【選択図】図１
0003157988.tif 000002
【実用新案登録請求の範囲】
【請求項１】
発光ダイオードなどの光源を内蔵した鋸柄
【考案の詳細な説明】
【考案の詳細な説明】
【技術分野】
【０００１】この考案は鋸柄に発光ダイオードなどの光源を内蔵することによって、暗所での切断作業を容易にする物である。
【背景技術】
【０００２】従来の鋸柄には発光ダイオードなどの光源が内蔵されておらず、照明のない暗い現場や昼間であっても切断場所が物陰なので暗く見えにくい場合、切断は容易でなかった。また暗所での切断作業の照明には懐中電灯など別の照明を使用しなくてはならず、切断場所が変わればその照明も移動させなくてはならず不便であった。
【課題】
【０００３】鋸柄の構造において、光源がなかった鋸柄に発光ダイオードなどの光源を内蔵することにより、暗所での切断作業性と安全性を高めるともに鋸柄の利便性をはかる。
【解決手段】
【０００４】鋸柄及び鋸柄の部品内部に発光ダイオードなどの光源、電池、スイッチを組み込む。光源は鋸柄の先端近く、即ち鋸刃との接合部付近につけ、暗所での作業時に切断部が明るく見えるように構成した鋸柄。
【考案実施の形態】
【０００５】従来の鋸柄には発光ダイオードなどの光源が内蔵されていないが、本考案では図１〜図４に示すようにあらゆる形状の鋸柄の先端近く、即ち鋸刃との接合付近に光源を設けることによって暗所での切断作業性を高め鋸柄の利便性をはかることを可能にした。この考案による鋸柄は替刃方式でない鋸の柄にも適用可能だが、替刃式の鋸柄に適用する方が鋸刃を外した時に、鋸柄だけでも懐中電灯などの照明の代わりとし使用出来るメリットがある。また安価で大量に製作するには合成樹脂がよりふさわしい材料として用いられる。
【実施例】
【０００６】本考案の実施例を図面に基づいて具体的に説明する。図１〜図４は本考案の鋸柄の実施例を示す。どの柄も光源の側にスイッチと電池ボックスを設け、鋸の切断操作及び鋸刃の交換時に支障のない構造にした。
【考案の効果】
本考案の鋸柄は剪定鋸や仮枠鋸など照明がない森の中や工事現場などで使用される鋸にはより効果的である。日没のためやむなく切り上げていた切断作業が延長できる。また、暗がり時の高所での剪定作業時の足場や降り位置の確認も出来、作業の安全をはかる効果もある。
【図面の簡単な説明】
【図１】替刃式鋸用のピストル形状の鋸柄である。
【図２】替刃式折込鋸用の鋸柄で、鋸刃の折込み及び固定に用いる柄の部品に発光ダイオードなどの光源、スイッチ、電池を内蔵した形状である。
【図３】替刃式鋸用のストレート形状の鋸柄である。
【図４】替刃式鋸で西洋スタイルの鋸柄への実施例である。
【図５】光源の構造を示した図の一例である。
【符号の説明】  １  鋸柄
２  鋸刃
３  発光ダイオード
４  スイッチ
５  電池／電池ボックス／カバー
６  鋸刃脱着用ボルト／ナット及びつまみ
７  鋸刃の折込み及び固定用ノブ
８  基板
９  スイッチノブ
１０  プレート（＋）
１１  スプリング（−）
１２  ボタン電池１．５Ｖｘ４
【図１】
0003157988.tif 000003
【図２】
0003157988.tif 000004
【図３】
0003157988.tif 000005
【図４】
0003157988.tif 000006
【図５】
0003157988.tif 000007
(57)【要約】      （修正有）【課題】比較的短時間で除草とその後の処理を可能とする軽量かつ高強度をもつ除草具を提供する。【解決手段】軽い三角ホー２を土台に草かき部の反対側に、ピアノ線等鋼棒よりなりバネの機能を有するレーキ３を取り付ける。これにより、土中にうもれた草を、別の道具を使用しないで、すぐ裏返しすれば掘り起せ、また、作業中起こした草を広げて天日乾燥したり、一カ所に寄せ集められるように構成する。【選択図】図１
0003157989.tif 000002
【実用新案登録請求の範囲】
【請求項１】
草とり具三角ホ−にピアノ線系の鋼を取り付けた事を特徴とする草とり具。
【考案の詳細な説明】
【技術分野】
【０００１】
本考案は家庭菜園、農家の草とり具として考案した。
【背景技術】
【０００２】
従来は２個の道具を使用し、先ず草をかき、レ−キで集めていた。
【先行技術文献】
【特許文献】
【０００３】
【特許文献１】実公平６−２１２９２
【考案の概要】
【考案が解決しようとする課題】
【０００４】
以前従来よりの草かき（三角ホ−ではない）に熊手が取り付けられた考案が有った（実公平６−２１２９２）が重量的に重く、とり廻し容易ではなかったように見受けられる。
本考案は、前技術の上記のような問題点に着目し、その畑作業が，容易になるよう軽量化に工夫した考案である。
【課題を解決するための手段】
【０００５】
軽く簡単に除草作業ができるように、双方の機能を、一体化させる事がポイントになるので、その方法として考案したのが三角ホ−にピアノ線系鋼を取り付ける事によって、クリアできる。
【考案の効果】
【０００６】
本考案は，三角ホ−とレ−キを一本の柄の先端に取り付け軽く使い勝手もよい、また土中にうもれた草を、別の道具を使用しないで、すぐ裏返しすれば掘り起せる、また、作業中起こした草を広げて天日乾燥したり、一カ所に寄せ集められる。
そして本考案は、出来るだけ軽量化に取り組み、また強度を合わせ持ち２つの作業を同時に簡単にやってのける。
【図面の簡単な説明】
【０００７】
【図１】図１は本考案の全体図である。
【図２】図２はレ−キを電気溶接で固定した。
【図３】図３はレ−キをボルト止めで脱着可能とした。
【考案を実施するための形態】
【０００８】
図１は本考案の全体図である。
三角ホ−のとがっている反対側に針状あるいは棒状のピアノ線（鋼）を取り付け、それをレ−キとする。レ−キ部は溶接又はボルト止めでもよい。このレ−キはバネにも似た弾力性のある鋼（ピアノ線系）を用いる事が一番有効な方法である。とがっている方で草をかき、すぐさま裏返せば、レ−キになり、草をかき終わってからレ−キを取りに行き、草を集めるなど二度手間を省く事が出来て、草をかきながら、埋もれた草を掘り起こせる。
埋もれた草は、再生力が強く活動するので、すぐ、その場で根と土を切り離せるのが有効な手段である。
【実施例】
【０００９】
以下添付図面に従って実施例を説明する。
図１全体図の通り、溶接ネジ止めされた、草とりレ−キは、とがっている三角の一部で草をかき、裏返しすぐ集め又、埋もれているものを掘り起こす機能を有する。
【符号の説明】
【００１０】
１  柄
２ ホ−（草とり部）
３  レ−キ（とった草を集める部位）
【図１】
0003157989.tif 000003
【図２】
0003157989.tif 000004
【図３】
0003157989.tif 000005
【手続補正書】
【提出日】平成22年1月5日(2010.1.5)
【手続補正１】
【補正対象書類名】実用新案登録請求の範囲
【補正対象項目名】全文
【補正方法】変更
【補正の内容】
【実用新案登録請求の範囲】
【請求項１】
草とり具三角ホーに針状または棒状のピアノ線系の鋼を取り付けた事を特徴とする草とり具。
(57)【要約】      （修正有）【課題】木造又はＳ造建物を容易に外断熱にする外断熱構造を提供する。【解決手段】外断熱構造であって、建物外壁面に取り付けた断熱材と、断熱材に貼り付けたタイルと、からなり、断熱材は無機系であることを特徴とする。【選択図】図１
0003157954.tif 000002
【実用新案登録請求の範囲】
【請求項１】
外断熱構造であって、
建物外壁面に取り付けた断熱材と、前記断熱材に貼り付けたタイルと、からなり、
前記断熱材は無機系であることを特徴とする、
木造建物の外断熱構造。
【請求項２】
請求項１に記載の外断熱構造において、前記タイルはモルタルを介して前記断熱材に貼り付けることを特徴とする、木造建物の外断熱構造。
【考案の詳細な説明】
【技術分野】
【０００１】
本考案は無機系の断熱材を用いた、木造又はＳ造建物の外断熱構造に関する。
【背景技術】
【０００２】
建物の断熱構造の一つとして、建物の躯体外壁に断熱材を取り付け、取り付けた断熱材に外壁材を取り付ける、外断熱構造が知られている。
また、近年は外壁面をタイル貼りで仕上げた建物が人気となっている。
【０００３】
木造又はＳ造の建物を外断熱とし、かつタイル貼りで仕上げる場合には、躯体外壁部３０に接着剤等によって取り付けた有機系の断熱材７０の表面に、下地材６０を貼り付け、その表面にモルタル５０を塗布し、外壁材となるタイル２０を貼り付けていた。（図２）
【考案の概要】
【考案が解決しようとする課題】
【０００４】
しかし、上記のような木造建物の外断熱構造に用いる断熱材７０は有機系であるため、モルタル５０を用いてタイル２０を直に貼り付けることはできず、下地材６０を貼り付ける必要がある。
【０００５】
本考案の目的は、木造建物を容易に外断熱にすると共に、外壁材としてタイルを使用する、木造建物の外断熱構造を提供することである。
【課題を解決するための手段】
【０００６】
本願の第１考案は、外断熱構造であって、建物外壁面に取り付けた断熱材と、前記断熱材に貼り付けたタイルと、からなり、前記断熱材は無機系であることを特徴とする、外断熱構造を提供する。
本願の第２考案は、第１考案の外断熱構造において、前記タイルはモルタルを介して前記断熱材に貼り付けることを特徴とする、外断熱構造を提供する。
【考案の効果】
【０００７】
本考案は、上記した課題を解決するための手段により、次のような効果の少なくとも一つを得ることができる。
（１）断熱材を、独立気泡を有する無機系とすることにより、釘やビス等の固定部材により物理的手段で確実に断熱材を貼り付けることができる。
（２）断熱材を無機系とすることにより、断熱材が下地材となり、モルタルを介してタイルを貼り付けることができる。
（３）断熱材が無機系であり、同じく無機系であるモルタルとの接着力が高い。
（４）無機系の断熱材は多孔質であるため、孔部にモルタルが入り込み、断熱材とモルタルとの接着力を増すことができる。
（５）断熱材が無機系であるため、不燃性の高い建物とすることができる。
【図面の簡単な説明】
【０００８】
【図１】本考案の木造建物の外断熱構造の断面図
【図２】従来の木造建物の外断熱構造の断面図
【考案を実施するための形態】
【０００９】
以下、図面を参照しながら本考案の実施の形態について説明する。
【実施例】
【００１０】
＜１＞外断熱構造の概要
本考案の外断熱構造は、木造又はＳ造建物の躯体外壁部３０に取り付けた断熱材１０と、断熱材１０に貼り付けたタイル２０と、からなる。
躯体外壁部３０は、建物が新築の場合には下地材であり、既存の場合には仕上げ材である。
【００１１】
（１）断熱材
断熱材１０は断熱を行う建物の躯体外壁部３０に取り付けるものである。
断熱材１０は無機系の軽量発泡体であり、内部に独立気泡１１を有する。
断熱材１０には例えば炭酸カルシウム系発泡板が用いられる。
【００１２】
（１．１）断熱材の取り付け
断熱材１０は釘やビス等の固定部材４０によって躯体外壁部３０に取り付ける。
断熱材１０は内部に独立気泡１１を有する多孔質の部材である。このため、固定部材４０は容易に断熱材１０に挿通することができる。また、挿通後は独立気泡１１により固定部材４０の引き抜きが阻害される。
躯体外壁部３０は木の他、サイディングや合板、成型セメント板、ボード等でもよい。
断熱材１０は固定部材４０によって躯体外壁部３０に物理的に取り付けるため、接着剤を用いて取り付ける場合に比べて、確実に取り付けることができる。
また、断熱剤１０は無機系であるため、不燃性の高い建物とすることができる。
【００１３】
（２）タイル
タイル２０は従来一般的に使用されている陶製のタイル２０である。
【００１４】
（２．１）タイルの貼り付け
タイル２０はモルタル５０や接着剤を介して断熱材１０に貼り付ける。
断熱材１０は無機系であるため、モルタル５０を用いることができる。このため、断熱材１０そのものが下地材となり、モルタル５０を介してタイル２０を貼り付けることができる。
断熱材１０とモルタル５０はどちらも無機系であるため、断熱材１０とモルタル５０との接着力は高い。
また、断熱材１０は内部に気泡１１を有する多孔質の部材であるため、表面の独立気泡１１にモルタル５０が入り込み、断熱材１０とモルタル５０との接着力を増すことができる。
【００１５】
（３）既存住宅の改修
本考案の断熱構造は、躯体外壁部３０に取り付けた断熱材１０を下地材として、外壁材となるタイル２０を貼り付けるものである。
このため、既存の木造住宅であっても、容易に、外断熱であり、かつタイル貼りの住宅に改修することができる。
【符号の説明】
【００１６】
１０      断熱材
１１      独立気泡
２０      タイル
３０      躯体外壁部
４０      固定部材
５０      モルタル
６０      下地材
７０      断熱材（有機系）
【図１】
0003157954.tif 000003
【図２】
0003157954.tif 000004
(57)【要約】      （修正有）【課題】襖、障子等の戸を滑らかに開閉できる戸の滑動装置を提供する。【解決手段】戸の下部にプラスチックを取り付けたことを特徴とする。【選択図】図１
0003157977.tif 000002
【実用新案登録請求の範囲】
【請求項１】
戸と接触する敷居との間にすべり易くするためのプラスチックを前記戸の下部に取り付けたことを、特微とする戸の滑動装置。
【考案の詳細な説明】
【技術分野】  本考案は、襖、障子等の戸を滑らかに開閉できるようにした、戸の滑動装置に関するものである。
【図１】
0003157977.tif 000003
【手続補正書】
【提出日】平成21年12月17日(2009.12.17)
【手続補正１】
【補正対象書類名】明細書
【補正対象項目名】全文
【補正方法】変更
【補正の内容】
【考案の詳細な説明】
【技術分野】本考案は、襖、障子等の戸を滑らかに開閉できるようにした、戸の潤滑装置に関するものである。
【図面の簡単な説明】
【図１】平面図
【符号の説明】１    戸
２    プラスチック
３    両面テープ
(57)【要約】      （修正有）【課題】長さや形態を変化させることができるアジャスター兼用ペンダント付きネックレスを提供する。【解決手段】装飾パーツとアジャスターパーツからなるペンダントと、装飾チェーンと引き輪からなるネックレスとの組み合わせからなる。ペンダントトップのアジャスターパーツ部分に、引き輪と止め具の付いた装飾チェーンが通っている。【選択図】図１
0003157978.tif 000002
【実用新案登録請求の範囲】
【請求項１】
図１のように、ロングネックレスにデザイン性を兼ね備えたアジャスター機能をもつペンダトップを装着する事により、図２、図３で示すような多様な形状のショートネックレスに変化する特徴をもつ装身具。
【考案の詳細な説明】
【技術分野】
【０００１】  本考案は、ネックレスの装飾チェーンからなる装身具において、その長さを任意に変える事が出来、かつその形態も複数に変化させて使用する事が出来る、多機能の装身具に関するものである。
【背景技術】
【０００２】  従来ネックレス等の装身具においては、その長さを調節して使用する為にネックレス端部にアジャスターを取り付ける事は公知である。
【考案が解決しようとする課題】
【０００３】  従来のアジャスターはあくまで長さ調節を目的としており、ネックレス後部に配するものが主であった。又、アジャスター機能を前部に配するネックレスにおいても長さ調節のみの機能で、長さを変えてもその形状を著しく変えられるものではなかった。
【考案を解決するための手段】
【０００４】  本考案は上記課題を解決する事を目的とし、従来長さ調節のみに使用されて来たアジャスターをネックレスのペンダントヘッドとしても使用出来るよう、装飾性の高いデザインを施した。さらに、ネックレスにこのペンダントヘッドを装着することにより、長さを調節出来るだけでなく、ネックレス本体の形状も幾通りかに変える事の出来る多機能性を特徴とする装身具とした。
【考案を実施するための形態】
【０００５】  以下、図面を参照して本考案の装身具の実施の形態を詳細に説明する。
図１は本考案の実施の形態の一例を示す正面図である。
１はチェーン状のロングネックレス。なおこの長さは限定されるものではなく使用可能であればいかなる長さでも良く、又、一本でも複数本でも良い。
２はネックレス端部に取り付けられた引輪。３は他端に取り付けられた引輪係止用の止め具である。なお前記止め具３は図示したプレート状のものに限定されるものでなく、前述の引輪２に係止できるものであればいかなるものでもよい。
４は長さ調節の出来るアジャスター機能をそなえたペンダントヘッド。なお前記ペンダントヘッド４は図示した形状に限定されるものではなく前述の引輪２に係止出来るものであればいかなるものでもよい。５０１、５０２、５０３、５０４、５０５はこの任意の部分に引輪を接続出来るアジャスター機能をもつ装飾パーツ。
【０００６】  次に図を用いてその使用方法を説明する。図２はロングネックレス１の端部の引輪２を止め具３を係止した状態でペンダントヘッド４のアジャスターパーツ５０１と連結した状態である。この連結により図１では一本のチェーン状のロングネックレス１にペンダントヘッド４が下がる形状であるが、図２においては２本のチェーン状部分６とペンダントヘッド４が同一線状になったショートネックレスの形状に変化する。
図３はロングネックレス１の端部の引輪２を止め具３を係止した状態でペンダントヘッド４のアジャスターパーツ５０５と連結した状態である。又、他５０２、５０３、５０４にも同様に連結出来る。この連結により、図１では一本のチェーン状のロングネックレス１にペンダントヘッド４が下がる形状であるが、図３においては２本のチェーン部分７の両端にペンダントヘッド４が下がるショートネックレスの形状に変化する。
【考案の効果】
【０００７】  本考案の装身具は、前述のとおりロングネックレスにアジャスター機能を付加したペンダントヘッドを装着する事によりその形状を変化させて使用出来るものである。
この考案により技術的に平易に、製造コストも低く、デザイン性の高い装身具を提供する事が出来る。
【図面の簡単な説明】
【０００８】
【図１】本考案の装身具の正面図
【図２】本考案の装身具の一例を示す正面図
【図３】本考案の装身具の一例を示す正面図
【符号の説明】
【０００９】  １、６、７  ネックレスチェーン
２  引輪
３  止め具
４  ペンダントヘッド
５０１、５０２、５０３、５０４、５０５  アジャスターパーツ
５１１、５１２、５１３  装飾パーツ
【図１】
0003157978.tif 000003
【図２】
0003157978.tif 000004
【図３】
0003157978.tif 000005
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
装飾パーツとアジャスターパーツからなるペンダントと、装飾チェーンと引き輪からなるネックレスとの組み合わせからなる事を特徴とするアジャスター兼用ペンダント付きネックレス
【請求項２】
ペンダントトップのアジャスターパーツ部分に、引き輪と止め具の付いた装飾チェーンが通っている事を特徴とする［請求項１］記載のアジャスター兼用ペンダント付きネックレス
【請求項３】
ペンダントトップの一端のアジャスターパーツには装飾チェーンが通っていて、他端には装飾チェーンの引き輪が付いている事を特徴とする［請求項１］記載のアジャスター兼用ペンダント付きネックレス
【請求項４】
ペンダントトップの一端のアジャスターパーツには装飾チェーンが通っていて、他のアジャスターパーツには装飾チェーンの引き輪が付いている事を特徴とする［請求項１］記載のアジャスター兼用ペンダント付きネックレス
(57)【要約】      （修正有）【課題】使用者の体格に合わせたサイズで、便座に脱着できる補助便座パネルを提供する。【解決手段】洋式トイレ便座本体のヒンジ台座部に、補助用として開閉自在の便座パネルを装着することを特徴とする構造で、パネル末端部をヒンジ台差し込み口へ挿入し、便座カバーの裏面にフックを設けて固定できる。【選択図】図３
0003157974.tif 000002
【実用新案登録請求の範囲】
【請求項１】
洋式トイレ便座本体のヒンジ台座部に、補助用として、開閉自在の便座パネルを装着する方式。幼児、小学生低学年児（小児）が専用として使用する。開口部が狭く、脱着が可能である特徴を持つ小型の補助便座パネル
【請求項２】
一体化形成された便座パネルより、ヒンジ台座部より分離装着を可能とした便座。女子用、男子用として別々の寸法の便座が要望される場合、交換装着が可能となる便座パネル
【考案の詳細な説明】
【技術分野】
【０００１】本考案は、洋式トイレの便座部に、幼児、小児専用の補助便座パネルを装着する。現在の同一寸法の一体化形成の便座を、要望により交換装着を可能にしたものである。
【背景技術】
【０００２】現在の洋式トイレ便器は、使用する者の体格の大小にかかわらず、同形の便座が適用されている。幼児、小児の子供でも、大人の男子、女子でも用便をする開口部が同一寸法のものが、使用されている。
【考案が解決しようとする課題】
【０００３】便座の開口部が同一であることは、お尻が小さい子供達は、便器の中へ落ちてしまう危険があり、男女共用サイズでは、小柄な女性でも同様の不便を感じて使用されている。そこで、前述の欠点を解決するためには、幼児・小児用には小型サイズの補助用便座パネルを大人用でも男子用、女子用と別サイズの便座パネルを装着可能なものにする。
【課題を解決するための手段】
【０００４】本考案は、現在使用されている洋式トイレの便座部分が便座カバー、ヒンジ部台座、一体化成形の便座パネルから成り立っている方式を改善して、種々の不便な点を解決出来る様にしたものである。幼児・小児用には補助便座パネルを設置し、大人用には男女別々に適合するように脱着交換装着が簡単に出来る便座パネルにする
【０００５】上述のように本考案の洋式トイレの便座は、使用する人々の体格に適する便座パネルを設定することが出来る。又、便座パネルは脱着可能であるので、一体化成形便座パネルでは固定化されているので、パネル裏側部の清掃が十分で無いのに比べ、丸洗い清掃が可能となり、衛生上の面からも推奨される利点である。便座パネルの材質、色彩、形状も多種多様のものが採用可能であり、例えば冬期には暖かい色彩のもの、夏期には涼しい色彩、そして材質のものが装着可能となる。家庭用洋式トイレでは、特に色彩がバラエティ豊富な便座パネルが装着出来、用便作業が楽しくなり、精神安定に寄与する。
【考案を実施するための最良の形態】
【０００６】トイレの便器上に本考案のヒンジ部台座を取り付ける。次に、男女別のトイレ室が有る場合は、女性用、男性用、別々の寸法のパネルを装着する。男女共用トイレの場合は、共用出来る寸法のパネルを装着する。
補助用パネルは、共通して装着することも可能であり、大人用便座パネルの上に重ねて使用することになる。
【実施例】
【０００７】添付図面に従って、一実施例を説明する。１は耐久性のプラスチック等適宜素材にて作られた便座パネル。２は補助用として装着された便座パネル。３は便座パネルの開閉するヒンジ部分の便座台。４は便座、便器全体を保護する便座カバー。５は補助用便座パネルを固定するフック。【０００８】１の便座パネルは、３ａヒンジ台座部に差し込んで装着する。２ａの補助用便座パネルを３ａヒンジ台座部に差し込み装着する。４ａは２ａの補助用便座パネルをカバー内側に装着したまま便器全体をカバーする。５ａは２ａを４ａに固定用として設けられたフックである。【０００９】本考案の一実施例は、上述の如き構成からなるものである。１の便座パネルは勿論ですが、２の補助用便座パネルを設置することにより、洋式トイレを使用する人々にとっては各自の体格に適合した便座で用便が出来ることは、安全性の面からも喜ばしいことである。
【図面の簡単な説明】
【００１０】
【図１】本考案の交換装着可能で補助用パネルを付けた平面図である
【図２】本便座の一部切欠断面図である
【図３】本考案便座を便器に取り付けた状態の斜視図である
【符号の説明】
【００１１】１  便座パネル
２  補助用便座パネル
３  ヒンジ部便座台
４  便座カバー
５  補助用便座パネルを固定するフック
【図１】
0003157974.tif 000003
【図２】
0003157974.tif 000004
【図３】
0003157974.tif 000005
【手続補正書】
【提出日】平成21年12月9日(2009.12.9)
【手続補正１】
【補正対象書類名】実用新案登録請求の範囲
【補正対象項目名】全文
【補正方法】変更
【補正の内容】
【実用新案登録請求の範囲】
【請求項１】
洋式トイレ便座本体のヒンジ台座部に、補助用として開閉自在の便座パネルを装着することを特徴とする構造で、パネル末端部をヒンジ台差し込み口へ挿入し、便座カバーの裏面にフックを設けて固定できる様にし、カバーと連動して開閉する幼児・小児専用の開口部が狭い小型の補助便座パネル。
【請求項２】
一体化形成されている便座パネルを、ヒンジ台座部とパネル部とに分離し、要望により種々のパネルを脱着交換できる構造としたもので、女子用・男子用とトイレ設置場所が異なる場合に、サイズの違う便座パネルを装着できる特徴を持つ請求項１の補助便座パネルを備えた便座パネル。
(57)【要約】      （修正有）【課題】台紙に印画紙、プリントを貼るという形とは違った見せ方で表現する写真アルバムを提供する。【解決手段】写真アルバムの台紙部分に４×５用の大きさの空間をカッター等でカットして設け、一眼レフカメラで撮影した画像をＡ３サイズに出力し、その出力した紙媒体を、４×５用ポジフィルムを使用し４×５フィルムカメラで複写する。現像したフィルムをその空間に４×５用マウントで挟み、両面テープ等を使用し貼り付ける。【選択図】図１
0003157971.tif 000002
【実用新案登録請求の範囲】
【請求項１】
台紙に４×５サイズの空間を設け、４×５ポジフィルムを用いたことを特徴とする写真アルバム。
【考案の詳細な説明】
【技術分野】
【０００１】本考案は、台紙部分に４×５ポジフィルムを張り付けた、写真アルバムに関するものである。
【背景技術】
【０００２】写真アルバムは、今までは印画紙やプリント等の紙媒体を貼り付けるだけであった。
【考案の概要】
【考案が解決しようとする課題】
【０００３】写真アルバムという往年来の形、台紙に印画紙、プリントを貼るという形だけであったものを、もっと違った見せ方で表現したいということを課題とする。
【課題を解決するための手段】
【０００４】本考案は、写真アルバムの台紙に４×５用の大きさの空間を設け、ポジフィルムの持つ透明素材を活かすことによりスタイリッシュに仕上がり、違った見せ方という課題を解決している。
【考案の効果】
【０００５】上述のように台紙の部分に貼り付けた４×５ポジフィルムの持つ透明素材感を活かすことにより、ギャラリー的な見せ方や、効果的な表現が可能になり、スタイリッシュな商品に仕上がる。またデジタル撮影が主流になる中で、４×５フィルムを使用したアナログさが、より一層新鮮味を引き出し、他のページの写真を惹きたてる。
【図面の簡単な説明】
【０００６】
【図１】本考案のフィルムウィンドウの実施例を示す斜図である。
【考案を実施するための形態】
【０００７】本考案は、写真アルバムの台紙部分に４×５用の大きさの空間をカッター等でカットして設け、一眼レフカメラで撮影した画像をＡ３サイズに出力し、その出力した紙媒体を、４×５用ポジフィルムを使用し４×５フィルムカメラで複写。現像したフィルムをその空間に４×５用マウントで挟み、両面テープ等を使用し貼り付ける。
【実施例】
【０００８】図１と同一。
【産業上の利用可能性】
【０００９】今後写真業界が、よりデジタル化していくにつれて、フィルムの持つ特性はさらに重宝されると思われる。今回の表現方法は従来の写真アルバムの持つ見せ方に対し一石を投じたのではないかと自負しており、今後、この見せ方、表現方法は、デジタル化が加速するにつれて、アナログの良さも再確認され、定番な見せ方になると思われる。
【符号の説明】
【００１０】▲１▼４×５ポジフィルムをマウントで挟んだもの
▲２▼台紙
▲３▼アルバム本体
【図１】
0003157971.tif 000003
【手続補正書】
【提出日】平成21年12月9日(2009.12.9)
【手続補正１】
【補正対象書類名】実用新案登録請求の範囲
【補正対象項目名】全文
【補正方法】変更
【補正の内容】
【実用新案登録請求の範囲】
【請求項１】
４×５インチサイズの大きさに合わせた孔を形成した台紙と、前記孔に合わせて配置する４×５インチサイズ用ポジフィルムと、前記台紙に固定するために、前記ポジフィルムを挟み込んで取り付けるためのマウント部を有する写真アルバム。
(57)【要約】      （修正有）【課題】樹脂を頭部に装着することで、微弱放射線効果により育毛効果を発揮する育毛器具を提供する。【解決手段】内部にラジウム鉱石の粉末を練りこんだ平板状の樹脂材を構成し、この樹脂材を頭部表面に沿った形状に構成して器具本体１１を構成する。この器具本体１１の表面に多数の孔１２を穿設すると共に、内側には頭皮を刺激するための多数の突起１３，１３・・を設け、頭部３０の表面にかぶせて、帽子２０で固定する。【選択図】図４
0003157933.tif 000002
【実用新案登録請求の範囲】
【請求項１】
内部にラジウム鉱石の粉末を練りこんだ平板状の樹脂材を、頭部表面に沿った形状に構成し、
前記樹脂材を頭部表面に接触させて装着することで、前記ラジウム鉱石の粉末から発する微弱放射線によって、皮膚の毛管を活性化する育毛器具。
【請求項２】
請求項１記載の育毛器具において、表面に多数の孔を穿設すると共に、内側に頭皮を刺激する多数の突起を設けたことを特徴とする育毛器具。
【考案の詳細な説明】
【技術分野】
【０００１】
本考案は、ラジウム鉱石の粉末を練りこんだ樹脂で作成され頭部に装着することで育毛作用を行う育毛器具に関するものである。
【背景技術】
【０００２】
従来よりラジウム鉱石等を利用して脱毛予防や育毛促進を行う考案が提案されている。
特許文献１に示す考案は、円型形状をした円弧状布帯（１）の中心を平面状に形成し、中央の中に鉱石（２）を埋め込み融着したラジウム鉱石バンドである。
【先行技術文献】
【特許文献】
【０００３】
【特許文献１】実用新案登録第３０３２０１６号公報この考案によれば、ラジウム鉱石が配列されている円型形状をした円弧状布帯であるため、簡単に人体の頭部に装着することができるため、頭部の毛根組識の真皮、皮下、立毛筋、毛細血管の新陳代謝がさかんになって皮膚の機能を回復させることができるという効果を奏する。
【考案の概要】
【考案が解決しようとする課題】
【０００４】
前記特許文献１記載の考案はバンド状であるため、頭皮全体を覆うことができず、効果が限定的であった。本考案はこのような従来例の問題点を解決し、頭部を覆うように装着することで効果的な育毛作用が行える育毛器具を提供することを目的とする。
【課題を解決するための手段】
【０００５】
本考案は、内部にラジウム鉱石の粉末を練りこんだ平板状の樹脂材を、頭部表面に沿った形状に構成し、前記樹脂材を頭部表面に接触させて装着することで、前記ラジウム鉱石の粉末から発する微弱放射線によって、皮膚の毛細血管を活性化する育毛器具である。
【０００６】
本考案は、前記育毛器具において、表面に多数の孔を穿設すると共に、内側に頭皮を刺激する多数の突起を設けた育毛器具である。
【考案の効果】
【０００７】
請求項１記載の考案によれば、内部にラジウム鉱石の粉末を練りこんだ平板状の樹脂材を頭部表面に接触させて装着することで、前記ラジウム鉱石の粉末から発する微弱放射線によって、毛根部の弱った細胞を活性化して育毛効果を発揮するのである。
【０００８】
請求項２記載の考案によれば、表面に多数の孔を穿設して通気性を良くすると共に、内側に頭皮を刺激する多数の突起を設けることで放射線の効果をアップすると共に、器具本体が頭から滑り落ちるのを防ぎ、頭部に対して物理的な刺激を与えることができ育毛効果を向上させるのである。
【図面の簡単な説明】
【０００９】
【図１】本考案の実施例１の側面図
【図２】本考案の実施例１の平面図
【図３】本考案の実施例１の使用説明図
【図４】本考案の実施例１の部分拡大断面図
【考案を実施するための形態】
【００１０】
内部にラジウム鉱石の粉末を練りこんだ平板状の樹脂材を構成し、この樹脂材を頭部表面に沿った形状に構成して器具本体を構成する。
この器具本体の表面に多数の孔を穿設すると共に、内側には頭皮を刺激するための多数の突起を設ける。
【実施例１】
【００１１】
本考案の実施例１は、図１ないし図４に示すものである。
図示のように、育毛器具１は、頭部の表面形状に沿って湾曲し、頭部３０表面を覆う器具本体１１と、この器具本体１１表面を貫通して穿設した多数の六角形状の孔１２，１２・・と、器具本体１１の内側に植設した多数の突起１３，１３・・からなる。
【００１２】
前記器具本体１１の材質は、ラジウム鉱石の粉末を練りこんだ樹脂である。本実施例では、この樹脂としてエラストマを使用しているが、これに限定されず他の樹脂を採用できる。
前記ラジウム鉱石の粉末は、平均７２μＳｖ（マイクロシ−ベルト）の放射線を出すものが、樹脂に対して重量比８％加えられている。このラジウム鉱石の配合によって、器具本体１１から発生する放射線の量を、１時間に５μＳｖとすることができる。
【００１３】
通常状態では、人間は地上で年間平均して２４００μＳｖの自然放射線をあびているといわれている。
一方、本実施例の育毛器具１を使用した場合、前記のように１時間に５μＳｖの放射線をあびることになり、２日に１回１時間使用することで、１年間にあびる放射線の総量は、３６５日÷２×５μＳｖ＝９１２．５μＳｖとなり、１０００μＳｖ以下になる。
これは、人工の放射線は年間１０００μＳｖまであびても安全といわれているので、その基準に合わせたのである。
また本実施例の育毛器具１を使用する場合、毎日１回３０分の使用ででも、上記と同様の効果が出る。
【００１４】
育毛器具１の使用に際しては、頭部３０表面に接触させて、その上から帽子２０をかぶる。帽子２０の内側に設けた固定手段である接着テープ１６と器具本体１１の外側に設けた固定手段である接着テープ１５を互いに接着して止める。この接着方法は、このほかに公知の方法を採用できる。
【００１５】
これによって、ラジウム鉱石から発する微弱放射線が、頭部の皮膚の毛根部に入り弱った細胞を活性化する。この放射線は毛根にまでしか入らず、弱っている細胞を除去し、新鮮な細胞の出現を促す作用を行うものと考えられる。
【００１６】
前記器具本体１１の孔１２は、頭部表面の通気性のために設けたものであり、本考案の必須構成要素ではない。また突起１３は、内側に向かって円錐状をしていて、その先端を頭部３０に到達させて放射線の効果を与えるものであるが、他の作用として器具本体１１が頭から滑り落ちるのを防ぐためと、頭部３０に対して物理的な刺激を与えるものである。
【００１７】
以上のように、本実施例によれば、樹脂に練りこまれたラジウム鉱石の粉末から発する微弱放射線によって、皮膚の毛細血管を活性化させ、毛根部の弱った細胞を活性化して育毛効果を発揮する。
さらに装着に際して頭部の通気性が良いうえに、突起により頭皮が刺激され育毛効果を向上させるのである。
【符号の説明】
【００１８】
１  育毛器具
１１  器具本体
１２  孔
１３  突起
１５  接着テープ（固定手段）
１６  接着テープ（固定手段）
２０  帽子
３０  頭部
【図１】
0003157933.tif 000003
【図２】
0003157933.tif 000004
【図３】
0003157933.tif 000005
【図４】
0003157933.tif 000006
(57)【要約】      （修正有）【課題】軽量で、かつリサイクル可能な材料を使用した畳を提供する。【解決手段】表面の畳表１から順次下に向かって、ずれ防止用の不織布２、活性炭含浸シート３、交差積層段ボール板４、そして最下層にはシリカのプライマーを塗布したシート５を貼り合わせ、畳表１の切り端の現れる畳の両辺は通常の畳のように布で縁取りを施しておく。【選択図】図１
0003157803.tif 000002
【実用新案登録請求の範囲】
【請求項１】
積層段ボール板を芯材とした畳において、表面には編んだ畳表を、その下には上から順番にずれ防止用の不織布を置き、活性炭含浸シートを置き、その下には１５〜２５ｍｍの厚さの強化積層段ボール板を配置し、最下部には滑り止めと保護にためにシリカのプライマーを塗布したシートが貼ってある構成にしてあり、総体の厚さは２０〜３０ｍｍであり、大きさは普通の畳の１．８ｍｘ０．９ｍか、用途に応じて異なったサイズのものが用意できることを特徴とする積層段ボール畳。
【請求項２】
強化積層段ボール板として交差積層段ボール板を使用することを特徴とする請求項１記載の積層段ボール畳。
【考案の詳細な説明】
【技術分野】
【０００１】  芯材が積層段ボール板である畳に関する。
【背景技術】
【０００２】  優れた床敷き材として日本で古くから使われてきた畳は、その利便性から現在でも使用されているが、外国においても近年、部分的に使われるようになってきた。【０００３】  伝統的な畳は芯材として、藁を圧縮して縫い締めた厚さ約６ｃｍの藁床を使い、表には井草を横一列に並べて、縦糸で織って繋ぎ合わせた畳表と称するものを貼って使用する。【０００４】  然るに従来の畳は芯材のせいで重く、取り扱いにくく、もう少し軽いものが望まれていた。かつ古くなった畳を廃棄するに当たり、藁床はリサイクルすることができなかった。
【考案の開示】
【考案が解決しようとする課題】
【０００５】  軽量で、かつリサイクル可能な材料を使用した畳を提供する。
【課題を解決するための手段】
【０００６】  本考案は上記問題に鑑みてなされたものであり、考案者が以前考案した軽量で丈夫な交差積層段ボール板（参考文献１）を芯材として使用し、表面は畳表、裏面は滑り止めシート等を貼り合せた構成からなる畳。
（参考文献１：実新登録第３１５０６１７）
【考案の効果】
【０００７】  芯材として使用している交差積層段ボール板は３〜５層の単層段ボール板又は片段ボール板を貼り合わせて作る。該交差積層段ボール板は、単層段ボール板又は片段ボール板内の波板の方向を一層毎に縦方向、横方向と交互に方向を変えながら重ねて貼り合わせてあるので、曲げに対する異方性が少なく、軽量で丈夫な畳になる。【０００８】  かつ畳を廃棄する場合も主たる材料の交差積層段ボール板はリサイクルに回せるので環境に優しい部材であるといえる。
【考案を実施するための最良の形態】
【０００９】  表面の畳表から順次下に向かって、ずれ防止用の不織布、活性炭含浸シート、交差積層段ボール板、そして最下層にはシリカのプライマーを塗布したシートを貼り合わせ、畳表の切り端の現れる畳の両辺は通常の畳のように布で縁取りを施しておく。また周辺すべてを布で縁取りしても良い。
【実施例１】
【００１０】  本考案の積層段ボール畳の実施例を断面の部分斜視図で図１に示してある。一番上には畳表１、その下は順次不織布２、活性炭含浸シート３、交差積層段ボール板４、最下層にはシリカプライマーを塗布したシート５と重ねて貼り合わせてあり、全体の厚さは約３０ｍｍである。【００１１】  畳の大きさは通常１．８ｍｘ０．９ｍであるが、必要に応じて５０ｃｍ角の畳などを作ることもできる。また畳表を含め、全材料をリサイクル可能な材料にすれば、積層段ボール畳全体をリサイクル可能とすることができる。
【産業上の利用可能性】
【００１２】  本考案の積層段ボール畳によれば、軽量なので取り扱い易く、簡単に設置したり取り除いたりできるので、部屋の一隅を随時、畳敷きにしたりする使用方法も考えられる。不要時の収納も楽である。また廃棄する時もリサイクル可能なので、資源の有効利用ができる。
【図面の簡単な説明】
【００１３】
【図１】積層段ボール畳の断面の部分斜視図。
【符号の説明】
【００１４】    １、畳表
２、不織布
３、活性炭含浸シート
４、交差積層段ボール板
５、シリカプライマーを塗布したシート
【図１】
0003157803.tif 000003
(57)【要約】      （修正有）【課題】カラスや猫による家庭ゴミの散乱を防ぐとともに、道路や歩道での通行の障害となることを最小限に抑え、ごみ回収後に移動可能の簡便なごみ収集箱を提供する。【解決手段】前後および左右に対面する側面、底面および開閉が可能な上面よりなり、少なくともその一面がネットで覆われ、下部に左右の中心より一方に偏った位置にキャスターを取り付ける。【選択図】図１
0003157801.tif 000002
【実用新案登録請求の範囲】
【請求項１】
前後および左右に対面する側面、底面および開閉が可能な上面よりなり、少なくともその一面がネットで覆われ、下部に左右の中心より一方に偏った位置にキャスターを取り付けたことを特徴とする家庭ゴミ収集用箱。
【請求項２】
前後および左右に対面する側面、底面および開閉が可能な上面よりなり、少なくともその一面がネットで覆われ、下部に左右の中心より一方に偏った位置にキャスターを取り付けたことを特徴とする家庭ゴミ収集用箱。
【考案の詳細な説明】
【技術分野】
【０００１】本考案は家庭や飲食店などからの家庭ゴミの収集に用いられる箱に関する。
【背景技術】
【０００２】従来、住宅地の一角に決められた道路や歩道の決められた場所に近隣の家庭よりごみを出し、決められた日に収集しているが、カラスや猫によりごみが散乱させられ住民を困らせている。そこで一般的にはネットでごみ袋を覆っているが、それでも十分に防ぐことができず、また道路や歩道にはみ出し通行の障害になるとともに著しく美観を損なっている。一方、特許公開２０００−３４００２や実用新案登録第３０８３１９９には収集箱が開示されているが、いずれも収納に考慮されているものの、その設置には支柱の固定などの工事を要することや製作費がかさむなどして普及していない。
【先行技術文献】
【特許文献】
【０００３】
【特許文献１】特開２０００−３４００２号公報
【特許文献２】実用新案登録第３０８３１９９号公報
【考案の概要】
【考案が解決しようとする課題】
【０００４】本考案はカラスや猫により家庭ゴミが散乱を防ぐとともに道路や歩道での通行の障害となることを最小限に抑え、ごみ回収後、移動が可能な簡便なごみ収集箱を提供するものである。
【課題を解決するための手段】
【０００５】前記の課題を達成するために、本考案は前後および左右に対面する側面、底面および開閉が可能な上面よりなり、少なくともその一面がネットで覆われ、下部に左右の中心より一方に偏った位置にキャスターを取り付けたことを特徴としたものである。
【考案の効果】
【０００６】以上述べたように、本考案によりカラスや猫により家庭ゴミが散乱を防ぎ、衛生ならびに美観を保つとともに道路や歩道での通行の障害となることを最小限に抑え、準備・片付けの移動が可能な簡便なごみ収集箱を提供することができ、本考案は社会的に大きな価値を有するものである。家庭に持ち帰り、立てて保管すればその面積は０．３８ｍ２（５０ｘ７５ｃｍ）と場所を取らない。
【図面の簡単な説明】
【０００７】
【図１】本考案になるゴミ収集箱の構成外観図
【考案を実施するための形態】
【０００８】まず本考案の主要な構成について、ゴミ収集箱の構成外観図である図１を用いて述べる。先ず、収集した家庭ゴミを安定して挿入でき、散乱しないよう前面１と後面２および左右面３，４に対面した側壁と、底面５を有する箱型容器とし、上面６は開閉可能なものとした。その少なくとも一面がネットで被いカラスや猫による内部の家庭ゴミの散乱を防ぐものとした。上面６を開放可能な扉方式としたのもこの目的のためである。できるだけ軽く簡単に持ち運び観点から、頑強なものでなく質量が大きくならない範囲で他の面の一部を閉じることも可能である。
下部底面５には、運搬を容易にするためのキャスター７を取り付ける。この場合、左右の中心より一方に偏った位置にキャスターを取り付けることが不可欠である。
他方は、単純な脚８で十分である。これは収集時は移動しにくく、設置および家庭ゴミの収集後は持ち運びを容易にするためである。なお、中心より離れれば持ち運び時に持ち上げるのに必要な力が大きくなり、一方中心に近すぎると挿入したゴミの位置により安定が損なわれることがある。
【０００９】さて、一般に道路の側溝は５０ｃｍ程度であり、当該部に限定して収集箱の奥行きを５０ｃｍ以下として収集箱を設置すれば通行の障害となることはない。ただし、あまり小さくすると収集できる要領が少なくなるためできるだけ大きい方が望ましい。そこで、多少大きくなって側溝をはみ出してもネットのみの従来に比べれば格段にその程度が少なく、路側帯が併用されていることもあり、収集の対象戸数を増やして設置個数を少なくする目的で、実用的な上限値として収集箱の奥行きは７５ｃｍ以下とした。高さは５０〜１００ｃｍが望ましい。上限値を超えると挿入するのにゴミを持ち上げねばならないが特に老人が重いゴミを挿入する場合や子供が挿入する場合望ましくない。一方、下限値より小さいと、ゴミの収納量が少なくなるため実用的な値として５０ｃｍとした。また、左右の長手方向は、持ち運びや保管の容易さと収納量から１〜２ｍ程度が実用的である。
【００１０】次に、カラスや猫の被害を防ぐために、少なくとも一面にネットを張るが、そのネットについてはその穴の大きさは５〜２０ｍｍの範囲が望ましい。上限値より大きいとカラスや猫がゴミを散乱させ、下限値は実用的なもので安価に入手できるものとした。
【実施例】
【００１１】本考案の実施例を図１に示す。前後の奥行き５０ｃｍ、高さ８０ｃｍ、左右の幅１６０ｃｍの木製枠（１寸角）による直方体の形状をなし、上面は開閉可能な蓋状とした。なお、長手の幅方向は３分割として木製枠を追加した。全面に１５ｍｍの六角状金網ネット１１を張り、底部はさらにゴミの質量に耐えるよう小さな梁を複数本渡した。長手方向の１／３位置の底面５に前後二つのキャスター７を取り付け、反対側端部にはキャスターと同じ高さの脚８を取り付けた。なお、脚部の上方には移動時に用いる矩形の木製ハンドル９を、また、蓋には開閉用の取手１０を取り付けた。脚およびハンドルは製作の簡便性と強度確保の観点より木枠と一体構造とした。質量は１５ｋｇであり、ハンドルを持ち上げれば容易に持ち運ぶことができ、本実施例の場合の持ち上げる力は５ｋｇ程度であり老人や子供でも十分取り扱うことができた。この結果、カラスや猫による散乱は全く無くなった。また、側溝の範囲に設置できたため通行の障害となることも無くなった。
なお、実施例での収集箱は１５戸の家庭を対象とした。なお、今回は木製の枠としたが、プラスチックや塩化ビニールなどの材料を使えばさらに軽量となり、また大量生産すれば制作費も低減されると予測される。
【符号の説明】
【００１２】  １：前面
２：後面
３、４：左右面
５：底面
６：上面（蓋）
７：キャスター
８：脚
９：ハンドル
１０：取手
１１：ネット
【図１】
0003157801.tif 000003